【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  被分析物の存在、または、濃度を検出するための指示薬分子であって、式：
Ｍ(――Ｃｈ(−ＲX))Y
(式中、Ｍはランタニド金属イオンであり；Ｃｈは配位子を含むキレーターであり；Ｒは、被分析物特異的認識要素であり；そして、Ｘは、各キレーターに結合した認識要素Ｒの数を表し；Ｘ＝0〜4であり、Ｙ＝1〜4であり；1個またはそれ以上のキレーターについてＸ＞0であるなら、認識要素Ｒの数は同じか、または、異なる)
を有し、被分析物の存在または濃度が、錯体の1個若しくはそれ以上のキレーターへの認識要素を介した被分析物の結合により、ランタニド金属キレート錯体から放射される蛍光の変化を測定することにより検出される、蛍光ランタニド金属キレート錯体を含む指示薬分子。
【請求項２】  ランタニド金属キレート錯体のＭが、ユーロピウムイオンまたはテルビウムイオンである、請求項１に記載の指示薬分子。
【請求項３】  1個若しくはそれ以上のキレーターの配位子が、β-ジケトンまたはその窒素アナログ、ジヒドロキシ、カルボキシル配位性複素環、エノール、大二環状クリプタンド、ポリアミノ-ポリカルボキシル酸、フェニルホスホン酸、1〜10個の炭素原子を含むアルカンまたはアルケン基、芳香族部分、炭素環式部分、及び、複素環式部分のいずれか1個、若しくは、それ以上を含む有機配位子である、請求項２に記載の指示薬分子。
【請求項４】  1個またはそれ以上のキレーターの配位子が、β-ジケトン及びシクレン(cyclen)からなる群より選択される部分を含む、請求項３に記載の指示薬分子。
【請求項５】  ランタニド金属キレート錯体の認識要素Ｒが、ボロネート、亜砒酸塩、または、ゲルマニウム酸塩の基を含み、被分析物がグルコースである、請求項４に記載の指示薬分子。
【請求項６】  1個またはそれ以上のキレーターがさらに、キレート錯体を固体担体に結合させるための置換基を含む、請求項１に記載の指示薬分子。
【請求項７】  キレート錯体を固体担体に結合させるための置換基が、カルボキシル基、−ＮＨ2基、または−ＯＨ基である、請求項６に記載の指示薬分子。
【請求項８】  認識要素が、
【化１】
2002506973.tif 000001
(式中、ｎは、右の構造式中で0、1または2であり、左の構造式中で0または1である)；
【化２】
2002506973.tif 000002
(式中、ｎは1である)；
【化３】
2002506973.tif 000003
(式中、ｎは0または1である)；
【化４】
2002506973.tif 000004
(式中、ｎは2である)；
【化５】
2002506973.tif 000005
(式中、ｍは0〜5であり、ｎは1または2である)；及び、
【化６】
2002506973.tif 000006
(式中、ｎは0または1であり、ホウ素酸及びアミン置換基が、一対として位置1及び10、3及び4、6及び7、7及び8、または、9及び10に位置する)
および、その誘導体からなる群より選択され、全ての構造式において、当てはまる場合には、Ｒ'及びＲ''が各々、独立して融合されたアリール、脂肪族、第一級、第二級若しくは第三級アミン、アミド、カルボキシル、ケトン、エステル、アルコール、または、アルデヒドであり、そして、Ｙ及びＺは、各々独立して脂肪族、アルコキシまたはアリールである、請求項１に記載の指示薬分子。
【請求項９】  被分析物の存在、または、濃度を検出するための蛍光ランタニド金属キレート錯体であって、式：
Ｍ(――Ｃｈ(−ＲX))Y
(式中、Ｍはランタニド金属イオンであり；Ｃｈは配位子を含むキレーターであり；Ｒは、被分析物特異的認識要素であり；そして、Ｘは、各キレーターに結合した認識要素Ｒの数を表し；Ｘ＝0〜4であり、Ｙ＝1〜4であり；1個またはそれ以上のキレーターについてＸ＞0であるなら、認識要素Ｒの数は同じか、または、異なる)
そして、被分析物の存在または濃度が、錯体の1個若しくはそれ以上のキレーターへの認識要素を介した被分析物の結合により、ランタニド金属キレート錯体から放射される蛍光の変化を測定することにより検出される錯体。
【請求項１０】  Ｍがユーロピウムイオン、または、テルビウムイオンである、請求項９に記載の蛍光ランタニド金属キレート錯体。
【請求項１１】  1個若しくはそれ以上のキレーターの配位子が、β-ジケトンまたはその窒素アナログ、ジヒドロキシ、カルボキシル配位性複素環、エノール、大二環状クリプタンド、ポリアミノ-ポリカルボキシル酸、フェニルホスホン酸、1〜10個の炭素を含むアルカンまたはアルケン基、芳香族部分、炭素環式部分、及び、複素環式部分のいずれか1個、若しくは、それ以上を含む有機配位子である、請求項１０に記載の蛍光ランタニド金属キレート錯体。
【請求項１２】  1個若しくはそれ以上のキレーターの配位子が、β-ジケトン、または、シクレンを含む、請求項１１に記載の蛍光ランタニド金属キレート錯体。
【請求項１３】  ランタニド金属キレート錯体の認識要素Ｒが、ボロネート、亜砒酸塩、または、ゲルマニウム酸塩の基を含み、被分析物がグルコースである、請求項１２に記載の蛍光ランタニド金属キレート錯体。
【請求項１４】  認識要素が：
【化７】
2002506973.tif 000007
(式中、ｎは、右の構造式中で0、1または2であり、左の構造式中で0または1である)；
【化８】
2002506973.tif 000008
(式中、ｎは1である)；
【化９】
2002506973.tif 000009
(式中、ｎは0または1である)；
【化１０】
2002506973.tif 000010
(式中、ｎは2である)；
【化１１】
2002506973.tif 000011
(式中、ｍは0〜5であり、ｎは1または2である)；及び、
【化１２】
2002506973.tif 000012
(式中、ｎは0または1であり、ホウ素酸及びアミン置換基が、一対として位置1及び10、3及び4、6及び7、7及び8、または、9及び10に位置する)
および、その誘導体からなる群より選択され、全ての構造式において、当てはまる場合には、Ｒ'及びＲ''が各々、独立して融合されたアリール、脂肪族、第一級、第二級若しくは第三級アミン、アミド、カルボキシル、ケトン、エステル、アルコール、またはアルデヒドであり、Ｙ及びＺは、各々独立して脂肪族、アルコキシまたはアリールである、請求項９に記載の蛍光ランタニド金属キレート錯体。
【請求項１５】  以下の工程を含む、試料中の被分析物の存在、または、濃度を検出するための方法：
ａ)試料を式：
Ｍ(――Ｃｈ(−ＲX))Y
(式中、Ｍはランタニド金属イオンであり；Ｃｈは配位子を含むキレーターであり；Ｒは、被分析物特異的認識要素であり；そして、Ｘは、各キレーターに結合した認識要素Ｒの数を表し；Ｘ＝0〜4であり、Ｙ＝1〜4であり；1またはそれ以上のキレーターについてＸ＞0であるなら、認識要素Ｒの数は同じか、または、異なる)
の蛍光ランタニド金属キレート錯体を含む指示薬分子に暴露する工程、
ｂ)錯体の1個若しくはそれ以上のキレーターへの、被分析物特異的認識要素を介した被分析物の結合により、ランタニド金属キレート錯体より放出される蛍光の変化を測定し、それにより被分析物の存在、または、濃度を検出する工程。
【請求項１６】  ランタニド金属キレート錯体のＭが、ユーロピウムイオン、または、テルビウムイオンである、請求項１５に記載の方法。
【請求項１７】  ランタニド金属キレート錯体の1個若しくはそれ以上のキレーターの配位子が、β-ジケトンまたはその窒素アナログ、ジヒドロキシ、カルボキシル配位性複素環、大二環状クリプタンド、ポリアミノ-ポリカルボキシル酸、エノール、フェニルホスホン酸、1〜10個の炭素を含むアルカンまたはアルケン基、芳香族部分、炭素環式部分、及び、複素環式部分のいずれか1個、若しくは、それ以上を含む有機配位子である、請求項１６に記載の方法。
【請求項１８】  1個またはそれ以上のキレーターの配位子が、β-ジケトンまたはシクレンを含む、請求項１７に記載の方法。
【請求項１９】  ランタニド金属キレート錯体の認識要素Ｒが、ボロネート基、亜砒酸塩基、または、ゲルマニウム酸塩の基を含み、被分析物がグルコースである、請求項１８に記載の方法。
【請求項２０】  認識要素が：
【化１３】
2002506973.tif 000013
(式中、ｎは、右の構造式中で0、1または2であり、左の構造式中で0または1である)；
【化１４】
2002506973.tif 000014
(式中、ｎは1である)；
【化１５】
2002506973.tif 000015
(式中、ｎは0または1である)；
【化１６】
2002506973.tif 000016
(式中、ｎは2である)；
【化１７】
2002506973.tif 000017
(式中、ｍは0〜5であり、ｎは1または2である)；及び、
【化１８】
2002506973.tif 000018
(式中、ｎは0または1であり、ホウ素酸及びアミン置換基が、一対として位置1及び10、3及び4、6及び7、7及び8、または、9及び10に位置する)
および、その誘導体からなる群より選択され、全ての構造式において、当てはまる場合には、Ｒ'及びＲ''が各々、独立して融合されたアリール、脂肪族、第一級、第二級若しくは第三級アミン、アミド、カルボキシル、ケトン、エステル、アルコール、またはアルデヒドであり、Ｙ及びＺは、各々独立して脂肪族、アルコキシまたはアリールである、請求項１５に記載の方法。